(57)【要約】      （修正有）【課題】インイヤー式耳ユニットの快適着用のための耳珠下耳ユニットを提供する。【解決手段】耳珠下耳ユニットは、イヤホンを装着機能性から切り離し、装着機能性を別体のアンカー（曲線２１０と湾曲２１８を有し、曲線が上端２１２と下端２１４を有する）によって提供させ、聴音要素３５０を内在したイヤホンハウジング３００を、当該アンカーに取り付けられるようにする。【選択図】図３
2018186557.tif 000002
【特許請求の範囲】
【請求項１】
アンカー（２００）と、
前記アンカーへ接続されている聴音要素（３５０）と、を備えていて、
前記聴音要素に開きが設けられている、耳珠下（sub-tragus）耳ユニット（１００）において、
前記耳ユニットが耳甲介（２４）と耳珠（２１）を有する耳の中へ位置付けられたとき、前記開き（３５２、３５６）が耳珠下領域（２８）に進入し、而して、音を前記耳珠下領域の中へ投射することを特徴とする、耳珠下耳ユニット。
【請求項２】
前記ハウジング（３００）は前記アンカー（１００）と前記聴音要素（３５０）の間の機械的インターフェースである、請求項１に記載の耳珠下耳ユニット。
【請求項３】
前記開きは、電気音響要素（３６０）である前記聴音要素（３５０）による開口部（３５２）である、請求項１−２に記載の耳珠下耳ユニット。
【請求項４】
前記聴音要素（３５０）には音声導管開口部（３５６）を有する音声導管（３５４）が設けられており、前記開きは当該音声導管開口部である、請求項１−２に記載の耳珠下耳ユニット。
【請求項５】
外の音を遮断するためのガスケット（３７０）を更に備えている、請求項１−４に記載の耳珠下耳ユニット。
【請求項６】
前記耳珠下耳ユニットが外部音緩衝要素（６００）を更に備えており、前記音緩衝要素は前記アンカー（２００）と前記ハウジング（３００）の少なくとも一方へ取り付けられている、請求項１−４に記載の耳珠下耳ユニット。
【請求項７】
起立時の重力方向への下方延長部（４００）を更に備えている、請求項１−４に記載の耳珠下耳ユニット。
【発明の詳細な説明】
【技術分野】
【０００１】
本発明は、概括的には取り外しできる耳装着のためのシステムに、厳密には耳ユニットの快適装着のための耳珠下耳ユニットに、関する。
【背景技術】
【０００２】
電話、音楽システム、スイッチボード、など、に対して無線であるか又は配線によって取り付けられるマイクロホン／耳部片の組合せはよく知られている。広範に多様な解が存在する。
【０００３】
１つの解は、聴音要素としても知られている音放射装置を外耳道に進入させる「インイヤー式（in-ear：耳入れ式）」解として知られている。典型的には、聴音要素を備えるハウジングを耳珠及び対耳珠の内側の耳甲介内部に位置付けておき、漏斗が音を外耳道の中へ導くようにしている。漏斗には周囲音を緩衝するようにフランジを有するガスケットが設けられている。典型的には、その様な装置は外耳道を装着に使用している。当該解はコンパクトであり、周囲音を効率よく取り除き、十分な音声忠実度を可能にもさせるが、押圧に敏感な外耳道へ掛かる圧力のせいで不快であるという不都合に悩まされている。
【０００４】
別の解は、聴音要素を耳甲介を有する耳に宛がって保持する「オンイヤー式（on-ear：耳あて式）」解である。これの幾何学形状は、広い聴音要素を耳甲介に当てて平たく設置させることができる。インイヤー式の解とは違い、この解は、聴音要素を耳甲介上方の位置に保持するための別体手段を要し、幾つかのその様な手段は当技術ではよく知られており、例えば、オーバーヘッド装着具、ヘッドバンド、及びオーバーイヤー装着具、などがある。この解は、単純ではあるが、保持のための手段によって耳へ掛かる圧力に因る長期不快に悩まされている。更に、音吸収クッションを使用しない限り周囲音が耳に入ってくるという問題が起こり、使用される音吸収クッションが耳をくまなく包囲するとなると、寸法が大きくなるといったような他の不都合が生じる。
【０００５】
第３の解は、聴音要素を備えるハウジングユニットを耳甲介内部に位置付け耳珠と対耳珠によってその場に保持させる「イヤーバド式（ear-bud：耳差し込みイヤホン式）」解
である。このやり方では、ハウジングユニットが聴音要素をその場に保持するための手段も形成している。コンパクトではあるものの、不都合は、耳珠及び対耳珠へ掛かる圧力による不快であり、更に、周囲音を排除するのが難しい。耳珠及び対耳珠に対する圧力を小さくすれば、イヤーバドはやや緩くなり、簡単に外れ落ちないとも限らない。
【０００６】
第４の解が、Ｃ字形状を有する耳部片に関する国際特許出願ＷＯ／２００２／０４５３９０及び曲線と湾曲を有する改良型耳部片に関する国際特許出願ＷＯ／２００８／１４７２１５に開示されている様に、本出願人によって提案されている。どちらも耳の対耳輪への安定装着のための快適な手段を開示している。前者は、耳道を周囲環境に対して或る一定の程度まで開放した状態にさせておくことのできる開放型の解を開示しており、耳道を封鎖又は閉鎖させるユニットよりも優れた快適性を提供する。これは空気循環を周囲音の進入を許すことと引き換えに提供する。
【０００７】
第５の解として、国際特許出願ＷＯ／２００９／１４３０５５に開示されている様に、聴音要素をオンイヤー式解の場合に対して直交に耳珠に対面して耳甲介の中へ設置させるインイヤー式スピーカーを挙げておきたい。問題は、聴音要素の安定した位置付けと、耳に位置付けたときに聴音要素の縁が耳甲介の内壁に押し付けられることに関係する不快である。
【０００８】
参照しておきたい更なる文献は次の通り、即ち、
外耳道に進入するようになっている外耳道のための栓に関するイギリス特許ＧＢ８３３５０６、
ヘッドセットが使用者の口に向かって下に延びる管状延長部又は音声管を備えている耳甲介安定具に関する米国特許ＵＳ５７１２４５３、
弓形リブと垂直リブを備えるＤ字形状を有する両利き耳部片であって、着用者の外耳道に嵌る隆起を設けた耳部片に関する国際特許出願ＷＯ２００４／０６８８９６、
三日月形状の装置が耳珠から十分離れて後退していることを全ての図が示している三日月形状聴音強化支援に関する国際特許出願ＷＯ０３／０９６７４５、
使用者の耳の中へ嵌るように個々に成形及び彫刻されているインサートに関する米国特許ＵＳ３０５３０６１、
イヤリングのための耳装着具に関するフランス特許ＦＲ２４３７８０２、
耳装着具に関するドイツ特許ＤＥ８９１１６０７Ｕ１、及び、
耳ユニットと共に使用するための音緩衝装置に関するドイツ特許ＤＥ１０１１７７０５、である。
【先行技術文献】
【特許文献】
【０００９】
【特許文献１】国際特許出願ＷＯ／２００２／０４５３９０
【特許文献２】国際特許出願ＷＯ／２００８／１４７２１５
【特許文献３】国際特許出願ＷＯ／２００９／１４３０５５
【特許文献４】イギリス特許ＧＢ８３３５０６
【特許文献５】米国特許ＵＳ５７１２４５３
【特許文献６】国際特許出願ＷＯ２００４／０６８８９６
【特許文献７】国際特許出願ＷＯ０３／０９６７４５
【特許文献８】米国特許ＵＳ３０５３０６１
【特許文献９】フランス特許ＦＲ２４３７８０２
【特許文献１０】ドイツ特許ＤＥ８９１１６０７Ｕ１
【特許文献１１】ドイツ特許ＤＥ１０１１７７０５
【発明の概要】
【発明が解決しようとする課題】
【００１０】
以上より、本発明の目的は、外耳道の不快を引き起こさず且つ周囲音を排除する能力もある改善された装着を有するコンパクトで快適性のある解のためのシステムを提供することである。
【課題を解決するための手段】
【００１１】
目的は、本発明によれば、請求項１の序文に定義されている耳ユニットであって請求項１の特徴付け部分の特徴を有する耳ユニットによって実現されている。
目的は、更に、本発明によれば、請求項５の序文に定義されている荷重支承アンカーであって請求項５の特徴付け部分の特徴を有する荷重支承アンカーによって実現されている。
【００１２】
本発明は、装着具機能性と変換器機能性と随意的には閉塞機能性を２つの別々の部分、即ち、
耳への安定装着を提供するアンカーと、
当該アンカーへ接続されていて音を提供する変換器を備えている聴音要素であって、聴音要素には開きが設けられており、耳ユニットが耳甲介と耳珠を有する耳の中へ位置付けられたときに開きが耳珠下領域に進入し、而して音を耳珠下領域の中へ投射する、聴音要素
と、に分離することによって、上記目的を達成する。
【００１３】
開きは、聴音要素による開口部とすることができる。
聴音要素には、更に、音声導管開口部を有する音声導管が設けられていてもよく、その場合、開きは当該音声導管開口部である。
【００１４】
随意的には、聴音要素は閉塞を提供している。
随意的には、閉塞は、空気の拡散を許すのに十分に広いがなおも音の伝播を防止するのに十分に小さい孔が開けられているものであってもよい。
【００１５】
本発明は、対耳輪及び耳珠を有する耳への安定した嵌りのための、上端と下端を有する曲線を備える荷重支承アンカーにおいて、曲線の部分が対耳輪の内側部分に沿って垂れ、下端は耳珠の下に部分的に位置付けられる延長下端へと延びていて、アンカーが耳の中へ位置付けられアンカーに珠間切痕の方向に力が加わったときに対耳輪を耳珠から実質的に一定した距離に引き留めることによって耳甲介の歪みを防止する、荷重支承アンカーによって、上記目的を達成する。
【００１６】
先行技術に勝る技術差は、装着がアンカーによってもたらされており外耳道の中へ突き出る何らかの要素によってではない耳珠下システムが提供されるということである。
これらの効果は、ひいては、幾つかの更なる好都合な効果をもたらし、即ち、
・オンイヤー式の解の場合の様な嵩張る保持手段を回避し、代わりに、第４の解でのような軽量アンカーが使用できるようになる、
・外耳道に進入する要素に関係する不快を回避させる、
・軽量構造を可能にさせる、
・耳珠及び対耳珠に掛かる圧力に関係する不快を回避させる、
・耳甲介へ不快な押圧を掛けることなく耳に安定して位置付けることを可能にする、
という効果をもたらす。
【００１７】
随意的には、本発明は、更に、別の好都合な効果を可能にさせ、即ち、
・耳周りの大きな吸収クッションの使用無しに周囲音を排除することを可能にさせる、及び、
・空気循環を可能にさせる、
という効果を可能にさせる。
【００１８】
先行技術に勝る技術差は、アンカーが耳甲介全体を埋めるのではなく、代わりに、２つの分枝を備えており、第１の分枝が対耳輪の内側部分に沿って垂れ、第２の分枝が耳珠の下に部分的に位置付けられる延長下端へ延びている、ということである。普通は、人が立ち上がるとき力が耳甲介に下向き方向に加えられると、耳甲介は力の方向に引き伸ばされ当該力に直交の方向に狭まることによって僅かに変形し、その結果、耳珠と対耳珠がより近寄ることになる。但し、本発明によるアンカーが挿入された状態であれば、２つの分枝が狭まりに抵抗しようとする。同時に、力は広い面積に亘って分散される。
【００１９】
これらの効果は、ひいては、幾つかの更なる好都合な効果をもたらし、即ち、
・装着のための軽量でより目立たない手段を使用することを可能にする、
・耳の変形がより少ないという点でより大きな快適性をもたらす、
・変形低減化は、耳甲介の変形を許してしまう手段よりも、より広い荷重支承を不快無しに可能にさせる、
という効果をもたらす。
【００２０】
本発明は、図面に概略的に示されている例としての実施形態と関連付けて以下に更に詳
細に説明されている。
【図面の簡単な説明】
【００２１】
【図１Ａ】外から見たヒトの耳の解剖学的構造を示している。
【図１Ｂ】ヒトの耳の解剖学的構造のＡ−Ａに沿った断面を示している。
【図２Ａ】耳の中へ挿入された耳ユニットを外から見た状態で本発明の作動原理を示している。
【図２Ｂ】第１の実施形態での本発明の作動原理をＡ−Ａに沿った交差面に示している。
【図２Ｃ】第２の実施形態での本発明の作動原理をＡ−Ａに沿った交差面に示している。
【図３】本発明の１つの好適な実施形態を示している。
【図４】本発明の１つの好適な実施形態を示している。
【図５Ａ】耳の中へ挿入されている改良型荷重支承アンカーを示しており、装着部が曲線から耳甲介の上を延びている。
【図５Ｂ】図５Ａの改良型荷重支承アンカーを曲線の平面に近接して示している。
【図５Ｃ】図５Ｃの改良型荷重支承アンカーを異なる角度で示している。
【図６】荷重支承アンカーへ取り付けられている音緩衝要素を示している。
【図７】荷重支承アンカーの代わりの使用を示しており、装着部が曲線から珠間切痕を通って延びている。
【図８Ａ】非閉塞位置にある聴音ユニットを示している。
【図８Ｂ】閉塞位置にある聴音ユニットを示している。
【発明を実施するための形態】
【００２２】
ヒトの耳の解剖学的構造
本発明の背景の理解を得るためには、図１Ａに示されているヒトの耳の解剖学的構造、特に外耳の解剖学的構造の詳細を知ることが肝要である。耳介としても知られている外耳１０は、重要な複数の特徴を備えている。最も外側には耳輪１１があり、耳輪１１は耳の周辺を上向きに頭蓋骨に向かって辿ってゆき頭蓋骨のところで耳輪脚１２へ移行している。この内側には対耳輪１３があり、対耳輪１３は上向きの方向に、耳三角窩１７によって隔てられた上脚１５と下脚１６を備える対耳輪脚１４へと二股に分かれてゆく。対耳輪の下方には後耳介溝１８があり、同じく更にその下方には珠間切痕２３（英名でintertragica、若しくはintertragic notchとしても知られる）によって隔てられて耳珠２１に向き
合う対耳珠２２がある。同じくこれらの内側には、耳輪脚１２によって隔てられた耳甲介艇２５と耳甲介腔２６を備える耳甲介２４がある。
【００２３】
耳珠のすぐ内側には、部分的に耳珠に覆われて、外耳道３０への進入口がある。この進入口はなおも耳甲介腔の一部であると認識しておくことが肝要である。外耳道本体は耳甲介の最深部から鼓膜２９まで延びており、距離は約２．５ｃｍ、耳珠からは大凡４ｃｍである。外耳道は、大凡８ｍｍの外側軟骨部と大凡１６ｍｍの内側骨部を備えている。外耳道に何か異物が入っていると典型的に極めて不快であることも指摘しておきたい。外耳道は、外から一部が覗け、図１Ａに表示されている。
【００２４】
耳珠２１のすぐ内側にあって耳珠２１によって部分的に覆われているこの区域は、公式の解剖学的構造名称を持っていない。この区域は本発明にとって中核をなすものであり、音響特性及び快適着用に関係する他の顕著な特性を有しているので、本書の説明上、耳珠下（sub-tragus）領域２８と呼ばれており、図１Ｂに示されている。外耳道３０は耳珠下領域の下方に位置している。
【００２５】
本発明の根幹を成す原理
図２Ａは、耳の中へ挿入された耳ユニットを外から見た状態で本発明の作動原理を示している。Ａ−Ａ線は、図２Ｂ及び図２Ｃの断面を表す。アンカー２００は、上端２１２、下端２１４、及び湾曲２１８、を有する曲線２１０を備えている。角度のせいで、アンカーの全構成要素を全図に明確に示すことは無理である。
【００２６】
根底をなす原理は、聴音要素３５０から固定機能２００を切り離すことによって、聴音要素３５０を最適位置に不快を生じさせることなく位置付けることが可能になる、ということである。更に、聴音要素を、それが耳珠２１の下に突き出して耳珠下区域２８に進入するように位置付けることによって、外耳道への異物進入に付きまとう不快無しに、音は耳道の中へ方向決めされる。聴音要素３５０には聴音要素開口部３５２が設けられており、当該開口部又は開きは、耳珠下区域から延びている外耳道への開口部に面している。
【００２７】
聴音要素が耳珠の下に突き出ることは、分離固定方式によって可能になることにも注目されたい。これは、幾つかのやり方で実現させることができる。
第１の実施形態では、電気音響変換器３６０の形態をしている聴音要素３５０が耳珠の下に位置付けられている。当該聴音要素は、耳珠下領域に嵌る寸法である。図２Ｂは、上記構成を概略的に示している。
【００２８】
第２の実施形態では、聴音要素３５０は、音声導管開口部３５６の設けられた音声導管３５４へ取り付けられている電気音響変換器３６０を備えている。音声導管が、典型的には１５ｍの波長に対応する２０Ｈｚから１５ｍｍの波長に対応する２００００Ｈｚの周波数を有する音の波長より小さい限り、音は有意な歪なしに伝導され、有効な開きは音声導管の開口部になっている。
【００２９】
この第２の実施形態は、電気音響変換器を耳珠から離して後退させることによって第１の実施形態のそれより大型化することを可能にさせる。有効な聴音要素は漏斗の端であり、この端が耳珠下領域の中へ突き出ているので、技術的効果は第１の実施形態と同じである。図２Ｃは上記構成を概略的に示している。
【００３０】
この第２の実施形態は、更に、電気音響変換器を音声導管開口部の平面に平行ではない角度に向き付けることを可能にさせる。この音声導管開口部は外耳道の上の進入口に直交であるのが好ましい。
【００３１】
指摘しておきたいこととして、オンイヤー式の構成は、特に耳甲介の大きさに関係して、高周波音の波長程度とされる構造を伴うことになろうが、第５の解による聴音要素の構造を伴うことも見込まれる。
【００３２】
１つの実施形態では、音声導管は耳甲介とも耳珠とも接触にない。離隔距離は音の波長に比べて小さくされているはずであり、このことは、ひいては、離隔距離、音声導管の長さ、及び音響インピーダンス不整合にも依るが、周囲音の緩衝につながる。
【００３３】
発明を実施する最良の形態
図３及び図４に示されている本発明による耳ユニットの実施形態は、本出願人の出願に類似のアンカー、厳密には、国際特許出願ＷＯ／２００２／０４５３９０に開示されているＣ字形状及び国際特許ＷＯ／２００８／１４７２１５に開示されている曲線２１０と湾曲２１８を有し曲線が上端２１２と下端２１４を有している改良型耳部片に類似のアンカーを備えている。電気音響変換器３６０の形態をしている聴音要素３５０はハウジング３００の一部として形成されているものであって、ハウジング３００自体は、耳ユニットが耳甲介及び耳珠を有する耳の中へ位置付けられるとき、耳甲介２４が耳珠２１によって覆われている耳珠下領域２８に聴音要素を進入させるようにして当該アンカーへ取り付けら
れる。
【００３４】
聴音要素３５０には、更に、聴音要素の位置を更に安定させることはもとより周囲音の追加緩衝を提供するためにも、実質的に聴音要素の周辺を廻って配設されているガスケット３７０が設けられている。ガスケットは、不快な圧力を掛けることなく耳の解剖学的構造の細部に簡単に自身の形状をなじませる弾性材料から作られているのが望ましい。当該ガスケットは、更に、周囲音が幾らか聞こえるのが好ましい場合又は最も快適な寸法及び形状を選択するために異なる寸法及び形状の間で変更するのが好ましい場合に使用者がそれを取り外すことができるように、脱着式であるのが望ましい。ガスケットは、１つ又はそれ以上のフランジ３７２を備えていてもよい。
【００３５】
ハウジング３００は、アンカー２００と聴音要素３５０の間の機械的インターフェースであり、典型的には、電子部品、配線取付具、など、を保持するのに適している。
アンカーは先行技術では明確に定義されている下端を有するものとして示されているが、定義の範囲内として下端はハウジング部の様なより大きなユニットに埋め込まれていてもよい。図３及び図４はともにその様なより大きな部分が下端を取り囲んでいることを示している。角度のせいで、アンカーの全構成要素を全図に明確に示すことは無理である。
【００３６】
代わりの実施形態
上記に対する数々の変型が構想され得る。例えば、周囲音の緩衝は、音緩衝ユニット６００をアンカーへ取り付けることによって実現させることができる。当該音緩衝ユニットは、耳ユニットが耳の中へ位置付けられたときに音緩衝要素が耳甲介の上に来るように位置付けられる。このことは図６に示されている。
【００３７】
音緩衝要素は、典型的には、殻体６１０と装着部へのコネクタ６２０を備えている。装着部は装着端５０４への接続に適合されている。
この解は、オーバーヘッド装着具、ヘッドバンド、及びオーバーイヤー装着具の様な装着具としての外部手段を回避させる。
【００３８】
音緩衝ユニットは、更に、耳三角窩１７の中へ延びている部分及び／又は耳輪１１の頂部の折り返しの下を延びている部分によって安定化させることができる。
音緩衝ユニットの寸法及び質量並びに使用者の予想される身体的活動に依存して、アンカーは、国際特許出願ＷＯ／２００２／０４５３９０及び国際特許出願ＷＯ／２００８／１４７２１５に開示されているよりも更に大きい荷重支承容量に適うように最適化されてもよい。先行技術は、軽量適用のための快適アンカーを開示している。この文脈での軽量とは、重さが非常に小さいので耳の中へ位置付けたときの耳甲介の歪みが微々たるものである、という重量を意味する。発明者は、アンカーを当該歪を補償するように又は防ぐように修正すれば、より大きな重量でも支えきれることを見出した。発明者は、より大きな重量は耳甲介を重量の方向に引っぱり下げることを見出した。使用者が横たわっているなら、圧力は対耳輪に掛かり、曲線が力を十分に広い面積に亘って分散させることになるので、これが問題となることは回避される。使用者が真っ直ぐに立ち上がれば、力は、代わりに珠間切痕の方向に働く。これは、耳甲介が下向きに引っぱられ狭められもして耳珠付近の区域が対耳珠付近の区域に接近してゆくという結果を生じさせる。
【００３９】
発明者は、アンカー２００の下端２１４を耳輪脚１２の方向に延長下端２１６へとなおいっそう延長させれば、力をより広い面積に亘って分散させることによって、また耳甲介を狭める力に対抗することによって、歪の問題は克服されることを見出した。同時に、アンカーの上端は、耳の対耳輪の下節によって覆われる腔部の下側部分を覆うフラップの下に突き出る必要はないことも見出した。これが、改善された装着を提供できる曲線２１０の随意的な湾曲２１８を強調表示するように或る角度で５Ｂに示されている荷重支承アン
カーである。図５Ａは、耳の中へ挿入されている下向きに延びる部分を有する荷重支承アンカーを示しており、一方、図５Ｃは下向きに延びる部分を持たないアンカーを示している。
【００４０】
荷重支承容量は、アンカーの上端を耳輪前部及び／又は耳輪脚に係合させるようにすることによって更に改善することができる。
その様な構成は、音緩衝要素の保持に加え広範な適用を有する。例えば、それは、耳宝飾品を保持するのに使用すれば、装着目的で耳たぶに孔をあける必要を回避させることができよう。その様な宝飾品は、非常に重いので従来式耳装着では不快となるはずである。
【００４１】
装着は、典型的には、第１端を曲線又はハウジング或いはそれら両方に接続されていて外部ユニットへの装着に適合されている装着部５００と呼ばれるアダプタを介することになろう。典型的には、装着部には、装着を耳甲介から或る距離にオフセットさせられるように装着腕５０２が設けられている。装着部の第１端とは典型的に反対側の装着部の第２端には装着端５０４が設けられている。この装着端は、アンカーがなおも耳の中に挿入されたままの状態での外部ユニットの案内式装着及び／又は脱着を可能にさせる。
【００４２】
多くの場合、装着部は、耳甲介のすぐ外側の区域から真っ直ぐ外へ延びている。更なる安定性又は更なる荷重支承容量が要求されている場合は、装着部は珠間切痕を通って随意的には珠間切痕に接触して延びている。
【００４３】
荷重支承アンカーから延びる部分は便利で衛生的な装着を形成するものである。好適な実施形態では、装着部はアンカーから珠間切痕を通って延びていよう。このことは図７に示されている。
【００４４】
随意的に、耳ユニットには、バッテリ、電子部品、アンテナ、又は配線のための取付設備、のための空間を提供する下方延長部４００が設けられていてもよい。これには重心を下げることによって安定性をもたらすという利点がある。この下方延長部は珠間切痕を通過しているのが望ましく、そうすれば追加の安定性がもたらされる。
【００４５】
下方延長部は、更に、装着部にとって都合のよい基礎ともなる。
先行の様々な解は、閉塞性及び周囲音を排除する性能又は周囲音を含める性能の観点で異なる特性を有している。
【００４６】
【表１】
2018186557.tif 000003
【００４７】
先行技術での閉塞性は設計の固有特性であり、イヤーバドに追加のガスケットを設ければ閉塞性の度合いが改善されるといったような非常に些細な調節でしかしか修正が効かないことが理解されるであろう。
【００４８】
本発明の発明者は、装着機能性を聴音要素から切り離されたアンカーへ別けることによって、第１の内側の位置では聴音要素が外耳道への開口部を閉塞して閉塞を提供すること
ができ、また聴音要素をアンカーに対して第２の位置へ後退させて聴音要素と耳甲介の間に通路を開かせることができる、ということに気付いた。後退は、耳珠から離れることであってもよいし、耳甲介の耳珠とは反対の側から離れることであってもよいし、又はそれら両方から離れることであってもよい、ということを指摘しておく。この文脈での後退は、外に向かって動くことはもとより、例えばクッション要素の収縮又は随意的にフランジを備えるガスケットの格納によって聴音要素の断面が小さくなること、の両方を意味している。これの効果は、第１位置で閉塞を果たしている部分の周りに通り道が開くことである。図８Ａ及び図８Ｂは非閉塞位置にある聴音ユニット及び閉塞位置にある聴音ユニットをそれぞれ示している。
【００４９】
第１位置と第２位置の間での調節は、耳ユニットを耳から取り外すことなく行うことができる。例えば電気機械式に警告音の様な入力によるか又は音楽を聴く機能性と電話を掛ける機能性の間での機能性切り換えによる自動位置変更も構想され得る。
【００５０】
アンカーは、耳での安定固定を外耳道装着具の必要性無しに提供していて尚且つ本発明の範囲内に留まる限り多くの形態をとり得る。その様な代わりのアンカーは、オーバーヘッド装着具、ヘッドバンド、又はオーバーイヤー装着具の様な、先行技術に基づくものであってもよい。
【産業上の利用可能性】
【００５１】
本願による発明は、聴音要素及び音緩衝要素の様な外側の要素を保持するための耳装着型ユニットに用途を見出している。
【符号の説明】
【００５２】
１０  耳介
１１  耳輪
１２  耳輪脚
１３  対耳輪
１４  対耳輪脚
１５  上脚
１６  下脚
１７  耳三角窩
１８  後耳介溝
２１  耳珠
２２  対耳珠
２３  珠間切痕
２４  耳甲介
２５  耳甲介艇
２６  耳甲介腔
２７  舟状窩
２８  耳珠下
２９  鼓膜
３０  外耳道
１００  耳ユニット
２００  アンカー
２１０  曲線
２１２  上端
２１４  下端
２１６  延長下端
２１８  湾曲
３００  ハウジング
３５０  聴音ユニット
３５２  聴音要素開口部
３５４  音声導管
３５６  音声導管開口部
３６０  電気音響要素
３７０  ガスケット
３７２  フランジ
４００  下方延長部
５００  装着部
５０２  装着腕
５０４  装着端
６００  音緩衝要素
６１０  殻体
６２０  装着部へのコネクタ
【図１Ａ】
2018186557.tif 000004
【図１Ｂ】
2018186557.tif 000005
【図２Ａ】
2018186557.tif 000006
【図２Ｂ】
2018186557.tif 000007
【図２Ｃ】
2018186557.tif 000008
【図３】
2018186557.tif 000009
【図４】
2018186557.tif 000010
【図５Ａ】
2018186557.tif 000011
【図５Ｂ】
2018186557.tif 000012
【図５Ｃ】
2018186557.tif 000013
【図６】
2018186557.tif 000014
【図７】
2018186557.tif 000015
【図８Ａ】
2018186557.tif 000016
【図８Ｂ】
2018186557.tif 000017
【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
耳ユニット（１００）であって、
アンカー（２００）と、
前記アンカーへ接続されている聴音要素（３５０）と、を備え、
前記聴音要素に開きが設けられており、
前記耳ユニットは、前記聴音要素が第１の内側の位置で外耳道の開口を閉塞することによって閉塞を提供するように構成され、前記聴音要素は、前記アンカーに対して当該聴音要素が第２の位置へ後退することによって当該聴音要素と耳甲介との間で通路が開くように構成されている、
ことを特徴とする耳ユニット。
【請求項２】
自動位置変更のための手段を更に備えている、請求項１に記載の耳ユニット。
【請求項３】
自動位置変更のための前記手段は電気機械的である、請求項２に記載の耳ユニット。
【請求項４】
前記アンカー（２００）と前記聴音要素（３５０）の間の機械的インターフェースであるハウジング（３００）を備えている、請求項１に記載の耳ユニット。
【請求項５】
前記聴音要素（３５０）は、電気音響要素（３６０）である、請求項１から４の何れか１項に記載の耳ユニット。
【請求項６】
前記聴音要素（３５０）には音声導管開口部（３５６）を有する音声導管（３５４）が設けられており、前記開きは当該音声導管開口部である、請求項１から４の何れか１項に記載の耳ユニット。
【請求項７】
外の音を遮断するためのガスケット（３７０）を更に備えている、請求項１から６の何れか１項に記載の耳ユニット。
【請求項８】
前記耳ユニットが外部音緩衝要素（６００）を更に備えており、前記音緩衝要素は前記アンカー（２００）とハウジング（３００）との少なくとも一方へ取り付けられている、請求項１から６の何れか１項に記載の耳ユニット。
【請求項９】
起立時の重力方向への下方延長部（４００）を更に備えている、請求項１から６の何れか１項に記載の耳ユニット。
【請求項１０】
耳ユニット（１００）の位置を制御するための方法であって、
アンカー（２００）と、
前記アンカーに接続されている聴音要素（３５０）と、を備え、
前記聴音要素には開きが設けられており、
前記耳ユニットは、前記聴音要素が第１の内側の位置で外耳道の開口を閉塞することによって閉塞を提供するように構成され、前記聴音要素は、前記アンカーに対して当該聴音要素が第２の位置へ後退することによって当該聴音要素と耳甲介との間で通路が開くように構成されており、
前記聴音要素は、自動位置変更のための手段を更に備え、
入力に基づいて位置変更が行われる、方法。
【請求項１１】
前記入力は警告音である、請求項１０に記載の方法。
【請求項１２】
前記入力は、音楽を聴く機能と電話をかける機能との切り替え機能である、請求項１０に記載の方法。
【手続補正２】
【補正対象書類名】明細書
【補正対象項目名】００２０
【補正方法】変更
【補正の内容】
【００２０】
本願発明の実施形態は、例えば以下の通りである。
［実施形態１］
アンカー（２００）と、
前記アンカーへ接続されている聴音要素（３５０）と、を備えていて、
前記聴音要素に開きが設けられている、耳珠下（sub-tragus）耳ユニット（１００）において、
前記耳ユニットが耳甲介（２４）と耳珠（２１）を有する耳の中へ位置付けられたとき、前記開き（３５２、３５６）が耳珠下領域（２８）に進入し、而して、音を前記耳珠下領域の中へ投射することを特徴とする、耳珠下耳ユニット。
［実施形態２］
前記ハウジング（３００）は前記アンカー（１００）と前記聴音要素（３５０）の間の機械的インターフェースである、実施形態１に記載の耳珠下耳ユニット。
［実施形態３］
前記開きは、電気音響要素（３６０）である前記聴音要素（３５０）による開口部（３５２）である、実施形態１−２に記載の耳珠下耳ユニット。
［実施形態４］
前記聴音要素（３５０）には音声導管開口部（３５６）を有する音声導管（３５４）が設けられており、前記開きは当該音声導管開口部である、実施形態１−２に記載の耳珠下耳ユニット。
［実施形態５］
外の音を遮断するためのガスケット（３７０）を更に備えている、実施形態１−４に記載の耳珠下耳ユニット。
［実施形態６］
前記耳珠下耳ユニットが外部音緩衝要素（６００）を更に備えており、前記音緩衝要素は前記アンカー（２００）と前記ハウジング（３００）の少なくとも一方へ取り付けられている、実施形態１−４に記載の耳珠下耳ユニット。
［実施形態７］
起立時の重力方向への下方延長部（４００）を更に備えている、実施形態１−４に記載の耳珠下耳ユニット。
本発明は、図面に概略的に示されている例としての実施形態と関連付けて以下に更に詳細に説明されている。 
【外国語明細書】
2018186557000001.pdf